(57)【特許請求の範囲】
【請求項１】
折り線により二つ折り可能とされたベースシートと、このベースシートに塗布された粘着剤層に剥離可能に積層された剥離シートとからなり、前記剥離シートには前記折り線を境にした一方の領域内に隠蔽対象となる情報を表示するための領域（情報表示領域）が形成されると共に、他方の領域は剥離可能となっており、その他方の領域を剥離して前記粘着剤層を露出させた状態で前記ベースシートを前記折り線によって二つ折りにすることで前記粘着剤層を介して前記ベースシートの前記折り線の一方の領域（情報隠蔽領域）を前記情報表示領域に重ね合わせ可能となっており、
かつ、前記情報隠蔽領域の前記粘着剤層には前記情報表示領域の外側領域に対応する強粘着部とその内側に位置する弱粘着部とが形成されると共に前記ベースシートには前記強粘着部と前記弱粘着部との境界に沿って切断可能部が形成され、前記切断可能部を切断して前記情報隠蔽領域の内側領域を引き剥がすことで、前記剥離シートの前記情報表示領域を外部に露出可能としたものにおいて、
前記強粘着部と前記弱粘着部との境界線は、矩形枠状をなし、
前記切断可能部は、前記境界線の三辺にそれぞれ沿うものとされ、
前記ベースシートには、前記切断可能部のうち、隣接する切断可能部同士をそれぞれ連結するＬ形スリットが形成され、
さらに、前記切断可能部は、前記強粘着部と前記弱粘着部の境界線に対して傾斜しつつ隣接して並ぶ多数のスリット群によって構成されると共に、前記多数のスリット群の各スリットは、前記境界線に対して傾斜する複数の単位直線を波形に連続させた形状をなすことを特徴とする情報隠蔽カード作製用シート。
【請求項２】
二本の折り線により三つ折り可能とされたベースシートと、このベースシートに塗布された粘着剤層に剥離可能に積層された剥離シートとからなり、前記ベースシートのうち前記二本の折り線によって区分された３つの領域を第１領域、中央領域及び第２領域としたときに、前記第２領域が隠蔽対象となる情報を表示するための領域（情報表示領域）とされており、前記情報表示領域を一方の前記折り線により前記剥離シート側が内側となるように折って前記中央領域に折り重ねた状態で前記第１領域の前記剥離シートを除去して前記粘着剤層を介して前記ベースシートの前記第１領域（情報隠蔽領域）を前記情報表示領域に重ね合わせ可能となっており、
かつ、前記情報隠蔽領域の前記粘着剤層には前記情報表示領域の外側領域に対応する強粘着部とその内側に位置する弱粘着部とが形成されると共に前記ベースシートには前記強粘着部と前記弱粘着部との境界に沿って切断可能部が形成され、前記切断可能部を切断して前記情報隠蔽領域の内側領域を引き剥がすことで、前記剥離シートの前記情報表示領域を外部に露出可能としたものにおいて、
前記強粘着部と前記弱粘着部との境界線は、矩形枠状をなし、
前記切断可能部は、前記境界線の三辺にそれぞれ沿うものとされ、
前記ベースシートには、前記切断可能部のうち、隣接する切断可能部同士をそれぞれ連結するＬ形スリットが形成され、
さらに、前記切断可能部は、前記強粘着部と前記弱粘着部の境界線に対して傾斜しつつ隣接して並ぶ多数のスリット群によって構成されると共に、前記多数のスリット群の各スリットは、前記境界線に対して傾斜する複数の単位直線を波形に連続させた形状をなすことを特徴とする情報隠蔽カード作製用シート。
【請求項３】
前記弱粘着部は前記強粘着部を構成する粘着剤の表面に粘着性を低下させる表面処理剤を印刷することで形成されている請求項１又は請求項２記載の情報隠蔽カード作製用シート。
【発明の詳細な説明】
【技術分野】
【０００１】
本発明は、情報隠蔽カード作製用シートに関する。
【背景技術】
【０００２】
個人情報などをハガキで通知する際、ハガキに表示された個人情報などを隠蔽するためのハガキとしては特許文献１に記載のカード作製用シートを用いて情報隠蔽ハガキとしたものが知られている。
【０００３】
このカード作製用シートは、以下のような構成となっている。矩形状のベースシートと、このベースシートの裏面に塗布された粘着剤層と、この粘着剤層に重ねられた前記ベースシートと同型同大の剥離シートとの３層構造からなり、ベースシートの縦寸法（短辺側寸法）は定型ハガキの縦寸法とほぼ同一であり、横寸法（長辺側寸法）は定型ハガキの横寸法の約３倍の大きさである。ベースシートの一方の面は、印刷可能であり、それとは反対側の面には、粘着剤層が塗布されている。
【０００４】
この粘着剤層とベースシートの裏面との粘着強度は剥離困難であって、粘着剤層とベースシートの表面との粘着強度は容易に剥離可能で、再粘着可能となるように設定されている。
【０００５】
また、このカード作製用シートには、全領域を定型ハガキのサイズに３等分するように短辺方向に沿ってミシン目が形成されており、ミシン目を中心にして、ベースシートを折ることができる。
【０００６】
剥離シートの裏側の面を、ミシン目によって３等分に分けた領域の内、中央に位置する領域は、ハガキを郵送する際の郵送先を表示するための宛名記載領域であり、その宛名記載領域に隣接する領域のうち一方は、隠蔽したい情報を表示するための情報表示領域である。もう一方の片側の領域は、情報表示領域を覆い隠すための情報隠蔽領域であり、ベースシートを透かして内部を見ることを防止するために地紋が印刷されている。
【０００７】
このカード作製用シートは、以下のように使用される。
まず宛名記載領域に宛名、情報表示領域に個人情報などの隠蔽したい情報を印刷する。次に剥離シートを剥離して粘着剤層を露出させ、宛名記載領域と情報表示領域を山折りとするようにミシン目に沿って折り重ねる。次に情報隠蔽領域の裏面の粘着面と情報表示領域とが重なるようにミシン目に沿って折り重ねると、情報隠蔽領域によって情報表示領域に記載された情報が隠蔽されるので、情報隠蔽ハガキとして郵送することができる。
【０００８】
この情報隠蔽ハガキを受け取った人は、このハガキの情報隠蔽領域の周縁部をつまんで、再粘着可能な情報隠蔽領域を情報表示領域から剥離することで、情報表示領域に印刷された個人情報などを読むことができる。
【特許文献１】特開２００６−３４７１３０公報
【発明の開示】
【発明が解決しようとする課題】
【０００９】
このような情報隠蔽カードにおいては、ベースシートに貼り付けられると容易に剥離可能な弱粘着部と剥離困難な強粘着部とに情報隠蔽領域を分け、弱粘着部と強粘着部との境界に沿った切断可能部を、短いスリットを間欠的に直線的に並べたミシン目にて形成し、そのミシン目を切断することで、弱粘着部のみを情報表示領域から剥離して、情報表示領域に印刷された個人情報などを読むことができるものが考えられた。
【００１０】
しかしながら、切断可能部が境界線に沿って直線的に形成されたミシン目で構成されているため、ミシン目の切断面は毛羽立つことなく綺麗に揃った状態になる。一方で、情報隠蔽面の弱粘着部はハガキから剥離された後でも、再びハガキに粘着させることができる。このため受取人以外の第三者がミシン目を切り開いて弱粘着部を剥がし、記載されている情報を盗み見た後に再度貼り付けると、開封の痕跡が残りにくいという問題点があった。
【００１１】
本発明は上記のような事情に基づいて完成されたものであって、一度、情報隠蔽領域を剥がすと開封の痕跡が明確に残るようにすることで、不正開封を抑止することのできる情報隠蔽カードを提供することを目的とする。
【課題を解決するための手段】
【００１２】
上記の目的を達成するための手段として、本発明は、折り線により二つ折り可能とされたベースシートと、このベースシートに塗布された粘着剤層に剥離可能に積層された剥離シートとからなり、前記剥離シートには前記折り線を境にした一方の領域内に隠蔽対象となる情報を表示するための領域（情報表示領域）が形成されると共に、他方の領域は剥離可能となっており、その他方の領域を剥離して前記粘着剤層を露出させた状態で前記ベースシートを前記折り線によって二つ折りにすることで前記粘着剤層を介して前記ベースシートの前記折り線の一方の領域（情報隠蔽領域）を前記情報表示領域に重ね合わせ可能となっており、かつ、前記情報隠蔽領域の前記粘着剤層には前記情報表示領域の外側領域に対応する強粘着部とその内側に位置する弱粘着部とが形成されると共に前記ベースシートには前記強粘着部と前記弱粘着部との境界に沿って切断可能部が形成され、前記切断可能部を切断して前記情報隠蔽領域の内側領域を引き剥がすことで、前記剥離シートの前記情報表示領域を外部に露出可能としたものにおいて、前記強粘着部と前記弱粘着部との境界線は、矩形枠状をなし、前記切断可能部は、前記境界線の三辺にそれぞれ沿うものとされ、前記ベースシートには、前記切断可能部のうち、隣接する切断可能部同士をそれぞれ連結するＬ形スリットが形成され、さらに、前記切断可能部は、前記強粘着部と前記弱粘着部の境界線に対して傾斜しつつ隣接して並ぶ多数のスリット群によって構成されると共に、前記多数のスリット群の各スリットは、前記境界線に対して傾斜する複数の単位直線を波形に連続させた形状をなすことに特徴を有する。
【００１３】
本発明は、二本の折り線により三つ折り可能とされたベースシートと、このベースシートに塗布された粘着剤層に剥離可能に積層された剥離シートとからなり、前記ベースシートのうち前記二本の折り線によって区分された３つの領域を第１領域、中央領域及び第２領域としたときに、前記第２領域が隠蔽対象となる情報を表示するための領域（情報表示領域）とされており、前記情報表示領域を一方の前記折り線により前記剥離シート側が内側となるように折って前記中央領域に折り重ねた状態で前記第１領域の前記剥離シートを除去して前記粘着剤層を介して前記ベースシートの前記第１領域（情報隠蔽領域）を前記情報表示領域に重ね合わせ可能となっており、かつ、前記情報隠蔽領域の前記粘着剤層には前記情報表示領域の外側領域に対応する強粘着部とその内側に位置する弱粘着部とが形成されると共に前記ベースシートには前記強粘着部と前記弱粘着部との境界に沿って切断可能部が形成され、前記切断可能部を切断して前記情報隠蔽領域の内側領域を引き剥がすことで、前記剥離シートの前記情報表示領域を外部に露出可能としたものにおいて、前記強粘着部と前記弱粘着部との境界線は、矩形枠状をなし、前記切断可能部は、前記境界線の三辺にそれぞれ沿うものとされ、前記ベースシートには、前記切断可能部のうち、隣接する切断可能部同士をそれぞれ連結するＬ形スリットが形成され、さらに、前記切断可能部は、前記強粘着部と前記弱粘着部の境界線に対して傾斜しつつ隣接して並ぶ多数のスリット群によって構成されると共に、前記多数のスリット群の各スリットは、前記境界線に対して傾斜する複数の単位直線を波形に連続させた形状をなすことを特徴としてもよい。
【００１４】
本発明では、前記弱粘着部は前記強粘着部を構成する粘着剤の表面に粘着性を低下させる表面処理剤を印刷することで形成してもよい。
【発明の効果】
【００１５】
本発明のカード作製用シートを使用して、例えば、ハガキを作成するには次のようにする。まずベースシートが折り線によって例えばハガキサイズに三分された領域を有するとし、三分されたベースシートの領域のうち、剥離シートと反対側に当たる中央の領域に郵送用の宛名を印字し、隣接する他の一つの領域に受取人に通知するための隠蔽すべき情報を印刷する。そして、裏面の剥離シートを剥がして粘着剤層を露出させた上で、宛名が印字された宛名記載領域と、隠蔽すべき情報が記載された情報表示領域とを粘着剤層側が内側となるように谷折りをして互いに貼り付ける。これにより、一方の面に宛名記載領域が位置し、その裏面に情報表示領域が位置する状態となる。
【００１６】
次に、残り一つの領域である情報隠蔽領域を折り線によって粘着剤層側が内側となるように谷折りして情報表示領域に貼り付ければ、情報表示領域が情報隠蔽領域によって覆い隠された状態のハガキとなる。情報隠蔽領域の前記粘着剤層のうち、前記情報表示領域の外側領域に対応する箇所は、剥離困難な強粘着部としてあるため、情報隠蔽領域と情報表示領域の外周縁部同士は剥がれにくい。そこで、このハガキを投函して郵送すれば、情報表示領域は情報隠蔽領域に覆われた状態のまま宛先に郵送される。
【００１７】
このハガキを受け取った受取人は、情報隠蔽領域の切断可能部に沿って、外周縁部以外の弱粘着部を剥離して、内部に印字してある情報を見ることができる。
【００１８】
本発明では、切断可能部を構成しているスリット群は弱粘着部と強粘着部との境界線に対し傾斜して並んでいるため、弱粘着部を剥離すると、一つ一つのスリットの間にあるベースシートの一部分が情報表示領域から浮き上がりつつ、不規則に千切れる。
【００１９】
そのため、一度剥がした弱粘着部を元の位置に貼り直したとしても、弱粘着部の周囲を取り囲んでいる切断可能部では、スリット間が不規則に千切れ、かつ、浮き上がっているため、元の状態に戻すことができず、開封の痕跡が残ることになる。このため受取人以外の第三者の不正開封を抑止することができる。
【００２０】
また、弱粘着部は強粘着部を構成する粘着剤の表面に粘着性を低下させる表面処理剤を印刷することにより形成することができる。このようにしておけば、２種類の粘着剤を組み合わせる必要がないため、材料コスト、製造コスト共に安価に抑えることができる。
【発明を実施するための最良の形態】
【００２１】
＜第１実施形態＞
以下、本発明を情報隠蔽ハガキ作成用のシート（以下ハガキ作製用シート１）に適用した第１実施形態について図１ないし図９を参照しながら説明する。本実施形態のハガキ作製用シート１は、例えば保険会社から顧客（受取人）に送付される口座振替案内ハガキを作製する際に使用されるものとして例示する。
【００２２】
このハガキ作製用シート１は、図２に示すように、矩形状のベースシート２と、このベースシート２の裏面に剥離不能に塗布された粘着剤層３と、この粘着剤層３に重ねられた前記ベースシート２と同型同大の剥離シート４との３層構造になっている。ベースシート２の縦寸法（短辺側寸法）は定型ハガキの縦寸法とほぼ同一であり、横寸法（長辺側寸法）は定型ハガキの横寸法の２倍の大きさである（図１）。
【００２３】
ベースシート２は例えば紙製であって、その厚みは例えば約６０μｍで、表面はプリンタなどによって印刷可能である。
【００２４】
また、上記のベースシート２には、図１に示すように、短辺方向に沿って全領域を定型ハガキのサイズに二等分するように１本のミシン目１１が形成されている。このミシン目１１はベースシート２に剥離シート４を重ねた状態で形成されたものであって両シートを貫通して形成されており、このミシン目１１を中心にしてベースシート２を折ることができる。
【００２５】
ミシン目１１によって区分された同型同大の２つの領域の内、図１の右側に位置する領域はこの口座振替案内ハガキの郵送先を記載するための宛名記載領域１Ａである。この宛名記載領域１Ａには「郵便はがき」の文字、切手貼付枠及び「親展」の文字が予め印刷されており、ユーザが宛名等を印字するまではその他の部分は白紙である。
【００２６】
この宛名記載領域１Ａに隣接する領域は情報隠蔽領域１Ｂである。ここにはベースシート２を透かして内部を見ることを防止するための地紋が予め印刷されている（地紋は図示せず）。
【００２７】
情報隠蔽領域１Ｂの裏側の粘着剤層３において外周縁の内側に５ｍｍ程の幅の枠状領域を除いた矩形状の領域には、離型性インキ３１が印刷されている（図２のみに図示）。この離型性インキ３１は、例えば剥離ニスと黒インクとを混合して調製されており、例えば凸版印刷法にて印刷したものである。離型性インキ３１は、それが付着すると粘着剤の粘着性を低下させるため、離型性インキ３１を印刷した粘着剤層３の領域は、印刷されていない外周側の領域に比べて粘着性が低い。
【００２８】
そこで、本実施形態では、離型性インキ３１を印刷した矩形状の領域を弱粘着部３Ａと呼び、その周囲の離型性インキ３１が印刷されていない領域を強粘着部３Ｂと呼ぶ（図５）。
【００２９】
強粘着部３Ｂ（本来の粘着剤層３）はベースシート２に一度貼り付けられたら剥離困難な程度の粘着力を有し、弱粘着部３Ａはベースシート２に一度貼り付けられても容易に剥離可能な粘着力となるように設定されている。なお、弱粘着部３Ａの粘着性は、弱粘着部３Ａ内における離型性インキ３１の付着割合（インキ付着部分を網点又は模様により構成した場合の網点濃度等）又は離型性インキ３１を調製する場合の剥離ニス濃度等によって調整することができる。
【００３０】
前述したように、弱粘着部３Ａは矩形領域であるから、強粘着部３Ｂとの境界線は矩形枠状となっている。図１で示すように情報隠蔽領域１Ｂのうち、上記境界線に沿った左側コーナーの上下二箇所には丸みを帯びたＬ形スリット２１が形成されている。また、上記境界線の上下に延びる右側の一辺以外の境界線に対応する部分には、境界線に対して傾斜する多数の波形スリット２２群が境界線に沿って並ぶように形成されており、左右方向の境界線に対応する各波形スリット２２はＬ形スリット２１からミシン目１１と直交するまで延びている。
【００３１】
各波形スリット２２は、図１の拡大部分に示すようにＶ字形状と逆Ｖ字形状とが一辺を共通させて連続する三角波形状であり、横幅寸法Ｗは例えば約３ｍｍ、各波形スリット２２間の距離ｔは約１ｍｍとなっている。
【００３２】
ベースシート２の裏側に位置する剥離シート４については、図３に示すように、宛名記載領域１Ａと情報隠蔽領域１Ｂとの間を区分するミシン目１１に沿って、その右側に約５ｍｍ離れた位置にスリット１２が設けられている。ミシン目１１によって二分された剥離シート４の２つの領域の内、左側の領域については、その外周によせた矩形ループ上のスリット１３が形成されており、このスリット１３に沿って剥離シート４の外周縁部のみを剥離することができ、残った剥離シート４の内側の領域は、受取人に通知するための情報（配信情報）を印字するための配信情報記録領域１Ｃであり、ユーザが配信情報を印字するまでは白紙である。
【００３３】
本実施形態のハガキ作製用シート１は以上の構成であり、次にその使用方法について説明する。
【００３４】
ハガキ作製用シート１を使用する場合には、宛名記載領域１Ａに受取人の宛名を印刷し、配信情報記録領域１Ｃには隠蔽して受取人に通知する配信情報を印刷する。
【００３５】
印字後、スリット１２から右側の剥離シート４を剥がし取って粘着剤層３を露出させる。次いで左側の剥離シート４のループ上のスリット１３に沿って、その外周縁部のみを剥がし取って粘着剤層３（強粘着部３Ｂ）を露出させる（図４及び図５）。これにより配信情報記録領域１Ｃの外周縁を強粘着部３Ｂが取り囲んだ格好となる。次いでミシン目１１を中心に粘着剤層３が内側となるように谷折りし、情報隠蔽領域１Ｂを配信情報記録領域１Ｃ上に重ね合わせて貼り合わせれば、図６に示すように１枚の定型サイズのハガキが完成する。
【００３６】
上記のようにして作成したハガキを投函して郵送すれば、情報隠蔽領域１Ｂの裏面の外周縁部は強粘着部３Ｂとなっており、配信情報記録領域１Ｃの外周縁部も強粘着部３Ｂであるため、情報隠蔽領域１Ｂと配信情報記録領域１Ｃとは外周縁部で剥離困難に粘着され（図７）、郵送途中などに情報隠蔽領域１Ｂが剥離することはない。
【００３７】
また、情報隠蔽領域１Ｂ裏面の弱粘着部３Ａと配信情報記録領域１Ｃとが貼り合わされるため、情報隠蔽領域１Ｂの内側領域は剥離可能で粘着されている。
【００３８】
上記のようにしてハガキ作製用シート１によって作成されたハガキを受け取った受取人は、ベースシート２の表面に印刷されている「ここからゆっくり剥がして中をご覧ください。」の指示に従い、左下コーナーのＬ形スリット２１の部分を剥離し、ここをつまんで引き上げる。
【００３９】
すると、まず情報隠蔽領域１Ｂのベースシート２のうち、Ｌ形スリット２１とそれに隣接する波形スリット２２との間の部分が千切れてＬ形スリット２１の端部と波形スリット２２とがつながり、次に波形スリット２２とその次の波形スリット２２との間の部分が千切れて、切り開き部分が広がる。
【００４０】
そこで、Ｌ形スリット２１部分をつまんだまま、さらに引っ張れば、隣り合う波形スリット２２間が次々に千切れるようになって、結局、矩形の境界部に沿って、弱粘着部３Ａと強粘着部３Ｂとの間が切り離され、図８に示すように、弱粘着部３Ａを右開き状態とすることで配信情報記録領域１Ｃに記入された情報を読み取ることができるようになる。
【００４１】
情報隠蔽領域１Ｂのうち弱粘着部３Ａに対応する領域を開く場合、本実施形態では、切断可能部を構成する多数の各スリットを弱粘着部３Ａと強粘着部３Ｂとの間の境界線に対して傾斜した形態としているから、図９に示すように、一つ一つのスリットの間にあるベースシート２の一部分がハガキから浮き上がりつつ、不規則に千切れる。
【００４２】
そのため、一度剥がした弱粘着部３Ａを元の位置に貼り直そうとしても、多数のスリット間部分が不規則に千切れるだけでなく、不規則な状態で浮き上がっているため、完全に元の状態に戻すことができず、開封の痕跡が残ることになる。これにより、受取人以外の第三者の不正開封を抑止することができる。
【００４３】
＜第２実施形態＞
図１０ないし図１９は本発明の第２実施形態を示す。前記第１実施形態と同一の構成については同一符号を付して重複する説明を省略し、異なるところについてのみ説明する。
【００４４】
第２実施形態のハガキ作製用シート２０では、ベースシート２、粘着剤層３及び剥離シート４の構成は第１実施形態と同一であるが（図１１）、ベースシート２の横寸法が定型ハガキの横寸法の３倍であり、上記のベースシート２には、図１０に示すように、短辺方向に沿って全領域を定型ハガキのサイズに三等分するように２本のミシン目１４，１５が形成されている。このミシン目１４，１５はベースシート２及び剥離シート４を貫通して形成されており、このミシン目１４，１５を中心にして、ベースシート２を折ることができる。
【００４５】
図１０において、前記ミシン目１４，１５によって区分された同型同大の３つの領域の内、中央に位置する領域はこの隠蔽ハガキの郵送先を記載するための宛名記載領域２０Ａである。この宛名記載領域２０Ａには第１実施形態と同様に「郵便はがき」の文字、切手貼付枠及び「親展」の文字が予め印刷されており、ユーザが印字するまでは、その他の部分は白紙である。
【００４６】
宛名記載領域２０Ａの右側に隣接する領域は受取人に通知するための情報（配信情報）を印字するための配信情報記録領域２０Ｃであり、ユーザが配信情報を印字するまでは白紙である。
【００４７】
宛名記載領域２０Ａの左側に隣接する領域は、情報隠蔽領域２０Ｂであり、ここには第１実施形態と同様にベースシート２を透かして内部を見ることを防止するための地紋が予め印刷されている（地紋は図示せず）、その裏面の粘着層及びスリット群の構成も第１実施形態と同様である。
【００４８】
図１２において、ベースシート２の裏側の剥離シート４は、ミシン目１４，１５に沿った２本のスリット１６，１７によって３枚に分割可能であり、中央の剥離シート４にはベースシート２を透かして配信情報記録領域２０Ｃを見ることを防止するための地紋が印刷されている。
【００４９】
本実施形態のハガキ作製用シート２０は以上の構成であり、次にその使用方法について説明する。
【００５０】
このハガキ作製用シート２０を使用するには、まず宛名記載領域２０Ａ及び配信情報記録領域２０Ｃに宛名及び隠蔽したい配信情報を印字する。
【００５１】
本実施形態では、第１実施形態と異なり、ユーザが印字する宛名記載領域２０Ａ及び配信情報記録領域２０Ｃが片面に集中している。このため例えば印字機で印字する場合、片面のみ印字すればよく、作業性が良好である。
【００５２】
次にスリット１６の左側の剥離シート４とスリット１７の右側の剥離シート４とを剥がし、粘着剤層３を露出させる（図１３及び図１４）。
【００５３】
なおスリット１６とスリット１７との間の、剥離シート４に地紋が印刷されている箇所は、剥がさずにそのままにしておく。
【００５４】
そして、ミシン目１４を中心にして谷折りにするように配信情報記録領域２０Ｃの裏面と剥離シート４の地紋印刷箇所とを貼り合わせる（図１５）。
【００５５】
次にミシン目１５を中心に粘着剤層３が内側となるように谷折りし、情報隠蔽領域２０Ｂの裏面を配信情報記録領域２０Ｃ上に重ね合わせて貼り合わせれば、図１７に示すような１枚のハガキとなる。
【００５６】
上記のようにして作成したハガキを投函して郵送すれば、情報隠蔽領域２０Ｂの裏面の外周縁部は強粘着部３Ｂとなっているため、情報隠蔽領域２０Ｂと配信情報記録領域２０Ｃとは外周縁部で剥離困難に粘着され、郵送途中などに情報隠蔽領域２０Ｂが剥離することはない。
【００５７】
また、情報隠蔽領域２０Ｂ裏面の弱粘着部３Ａと配信情報記録領域２０Ｃとが貼り合わされるため、情報隠蔽領域２０Ｂの内側領域は剥離可能で粘着されている。このハガキを郵送し、受取人が開封するときは第１実施形態と同様に行う（図１９）。
【００５８】
本実施形態では、配信情報記録領域２０Ｃの裏面と重なる領域には、地紋が印刷されている。このため、ハガキの状態において、宛名記載領域２０Ａ側から、配信情報記録領域２０Ｃに記入されている情報を透かして見ることができない。このためセキュリティ性がより高くなっている。
【００５９】
＜他の実施形態＞
本発明は上記記述及び図面によって説明した実施形態に限定されるものではなく、例えば次のような実施形態も本発明の技術的範囲に含まれる。
（１）上記各実施形態では、口座振替案内の用途に使用されるハガキ作製用シートについて説明したが、その用途はそれに限定されないことはもちろんであり、情報を秘匿しながら送付、手渡すような情報隠蔽カードに広く利用できるものである。
【００６０】
（２）上記各実施形態においては、弱粘着部と強粘着部との境界線に形成されるスリット群について、境界線に対して傾斜したスリットが単位直線による連続した波形を形成しているものについて説明したが、傾斜しているスリットが全て波形を形成している必要はない。例えば、ただ傾斜しているスリットのみで形成されている部分が含まれていてもよい。また、三角波状の波形に限らず、正弦波状、矩形波状の波形であってもよい。
【００６１】
（３）第１実施形態では、情報隠蔽領域裏面の外周縁部を強粘着部、情報表示領域の外周縁部も強粘着部とし、両外周縁部を貼り合わせて剥離困難としたが、強粘着部は情報隠蔽領域の裏面のみにあってもよい。
【００６２】
（４）上記各実施形態では、弱粘着部３Ａを形成するために、ベースシート２の裏面に一様に形成した粘着剤に非粘着性の離型性インキ３１を印刷するようにしたが、これに限らず、粘着剤の表面に部分的に化学的・物理的な処理（例えば離型剤の塗布、熱処理、電磁波照射等）を施すことによって粘着性を低下させるようにしてもよい。または、ベースシート２の裏面のうち強粘着部には粘着剤をベタ印刷し、弱粘着部とする部分には粘着剤を粗いストライプ状あるいは網点状に印刷して粘着剤の付着量を減らすことで領域全体としての粘着性を低下させるようにしてもよい。もちろん、弱粘着部と強粘着部とでは異なる粘着性の２種類の粘着剤を領域を分けて印刷するようにしてもよい。
【００６３】
（５）第２実施形態では、矩形状のシート本体を、その短辺方向に沿って形成された２本の折り線で、横並びの３つの領域に区切って、順次折り返すことで情報隠蔽ハガキを作成したが、例えば略Ｌ字型をしたシート本体において、剥離シートに地紋を印刷された領域を中心として、隣接した横側が情報隠蔽領域、隣接した下側が配信情報記録領域となるようにし、その各領域の境界に折り線を形成してもよい。この場合、配信情報記録領域を上側に折り返して、地紋が印刷された領域に重ね合わせた後、情報隠蔽領域を横方向に折り返すことで、情報隠蔽ハガキを作製することができる。
【図面の簡単な説明】
【００６４】
【図１】第１実施形態のハガキ作製用シートを示す表面図である。
【図２】図１のＡ−Ａ線で切断した断面図である。
【図３】第１実施形態のハガキ作製用シートを示す裏面図である。
【図４】剥離シートを剥がす途中の第１実施形態のハガキ作製用シートを示す裏面図である。
【図５】剥離シートを剥がし終えた状態の第１実施形態のハガキ作製用シートを示す裏面図である。
【図６】完成した第１実施形態のハガキを示す斜視図である。
【図７】図６のＢ−Ｂ線で切断した断面図である。
【図８】第１実施形態のハガキから弱粘着部３Ａを開いた状態を示す斜視図である。
【図９】図８において弱粘着部３Ａを開いた部分の拡大斜視図である。
【図１０】第２実施形態のハガキ作製用シートの表面図である。
【図１１】図１０のＣ−Ｃ線で切断した断面図である。
【図１２】第２実施形態のハガキ作製用シートの裏面図である。
【図１３】剥離シートを剥がす途中の第２実施形態のハガキ作製用シートを示す裏面図である。
【図１４】剥離シートを剥がし終えた状態の第２実施形態のハガキ作製用シートを示す裏面図である。
【図１５】配信情報記録領域２０Ｃと宛名記載領域２０Ａを貼り合わせた状態の第２実施形態のハガキ作製用シートを示す裏面図である。
【図１６】図１５のＤ−Ｄ線で切断した断面図である。
【図１７】完成した第２実施形態のハガキを示す斜視図である。
【図１８】図１７のＥ−Ｅ線で切断した断面図である。
【図１９】第２実施形態のハガキから弱粘着部３Ａを開いた状態を示す斜視図である。
【符号の説明】
【００６５】
１、２０…ハガキ作製用シート
１１、１４、１５…ミシン目（本発明の「折り線」に相当する。）
１Ｂ、２０Ｂ…情報隠蔽領域
１Ｃ、２０Ｃ…配信情報記録領域（本発明の「情報表示領域」に相当する。）
２２…波形スリット（本発明の「スリット」に相当する。）
２…ベースシート
３…粘着剤層
３１…離型性インキ（本発明の「表面処理剤」に相当する。）
３Ａ…弱粘着部
３Ｂ…強粘着部
４…剥離シート
【図１】
0005224166.tif 000002
【図２】
0005224166.tif 000003
【図３】
0005224166.tif 000004
【図４】
0005224166.tif 000005
【図５】
0005224166.tif 000006
【図６】
0005224166.tif 000007
【図７】
0005224166.tif 000008
【図８】
0005224166.tif 000009
【図９】
0005224166.tif 000010
【図１０】
0005224166.tif 000011
【図１１】
0005224166.tif 000012
【図１２】
0005224166.tif 000013
【図１３】
0005224166.tif 000014
【図１４】
0005224166.tif 000015
【図１５】
0005224166.tif 000016
【図１６】
0005224166.tif 000017
【図１７】
0005224166.tif 000018
【図１８】
0005224166.tif 000019
【図１９】
0005224166.tif 000020